(57)【要約】【課題】  非動力式水中光子振動周波数衝突装置及び水中光子振動周波数衝突方法を提供する。【解決手段】本装置は、入水管、分流管、２つの中心管、２つの中心管の保護管、２つの外管、２つの中心磁化領域、２つの磁気カット部、２つの光子付着領域を備える。各光子付着領域内に遠赤外線光子結晶、２つの合流管、合流衝突領域の保護管が設けられる。２つの合流管の相対する出水口が合流衝突領域であり、分流後の水流を、水分子クラスターを細分化する中心磁化領域と、水流に光子を付着させる遠赤外線光子結晶とをそれぞれ順次に経由してから、光子束を有する２本の動量水流を合流した後に衝突することで、強烈な振動周波数波動を引き起こす。【選択図】図１
2018027533.tif 000002
【特許請求の範囲】
【請求項１】
非動力式水中光子振動周波数衝突装置であって、 
・水流を導入するための入水口を有する入水管と、 
・入水管の下流に接続されて２個の分流領域を有し、導入した水流を２本に分流する分流管と、 
・分流領域の下流にそれぞれ接続される２つの中心管であって、各中心管の一端が中心管の入水口であり、その反対側が中心管の出水口である２つの中心管と、 
・２つの中心磁化領域であって、中心管の入水口から中心管の出水口までの間に設置され、各中心磁化領域内に水流路径に対応して磁気カット部が設けられる２つの中心磁化領域と、 
・２つの光子付着領域であって、各光子付着領域の一端が光子付着領域の入水口であり、その反対側が光子付着領域の出水口であり、光子付着領域の入水口は、中心管の出水口にそれぞれ接続され、２つの中心磁化領域の下流に位置し、各光子付着領域内に水流経路に対応して遠赤外線光子結晶と、遠赤外線光子結晶を光子付着領域内に固定するためのサポートとが設けられる２つの光子付着領域と、 
・２つの合流管であって、各合流管の一端が合流管の入水口であり、その反対側が合流管の出水口であり、合流管の入水口は、光子付着領域の出水口の下流に接続され、合流管の出水口は、相対設置を呈して衝突間隔距離を保持する２つの合流管と、 
・合流衝突領域の保護管であって、合流衝突領域の保護管の一端が分岐状態を呈して２つの合流管の外周囲にそれぞれ設置されると共に、衝突間隔距離に対応して合流衝突領域を形成し、その反対側が合流衝突領域の下流の合流排水管に位置することで、２つの合流管から流出する２本の水が合流衝突領域に流されて相互衝突した後、合流排水管から排出される合流衝突領域の保護管とからなることを特徴とする非動力式水中光子振動周波数衝突装置。
【請求項２】
各中心管外にそれぞれ設置される２つの中心管の保護管と、各中心管の保護管の外側にそれぞれ設置される２つの外管とを備え、各中心管の保護管は、中心管及び各光子付着領域に相対し、各外管は各合流管と接続され、また各光子付着領域に相対して下流端付近の各中心管の保護管は各外管と繋がることで、水を各外管から各合流管に流すことを特徴とする請求項１に記載された非動力式水中光子振動周波数衝突装置。
【請求項３】
各外管は、各合流管と一体化されることを特徴とする請求項２に記載の非動力式水中光子振動周波数衝突装置。
【請求項４】
各外管と各合流管とは分節接続されることを特徴とする請求項２に記載の非動力式水中光子振動周波数衝突装置。
【請求項５】
水中光子振動周波数衝突方法であって、水流を２本の水流に分流した後、分流後の２本の水流を、水分子クラスターを細分化する中心磁化領域と、水流に光子を付着させる遠赤外線光子結晶とをそれぞれ順次に経由してから、光子束を有する２本の水流をそれぞれ２つの合流管を通過させて合流衝突領域に流れ込んで合流衝突を行うと共に、強烈な振動周波数波動を有する動量水流を引き起こすことを特徴とする水中光子振動周波数衝突方法。
【発明の詳細な説明】
【技術分野】
【０００１】
本発明は、非動力式水中光子振動周波数衝突装置及び水中光子振動周波数衝突方法に関するものであり、さらに詳しくは、２本の光子束を有する動量水流が衝突した後、強烈な波動を引き起こす処理技術に関するものである。
本発明によればさらに具体的には、元の大分子クラスターの水が異なる経路に分流する時、磁力による切断を経て小分子クラスター性状の水を形成すると同時に、遠赤外線光子結晶における光子を瞬間に搭載することで、いずれも光子を有する水流が合流し、衝突した際に強烈な振動周波数波動を引き起こす動量処理技術を提供することを意味する。
【背景技術】
【０００２】
水は自然界において最も重要な生命の源泉の一つであり、人類、動物、植物などあらゆる生命体に対しても、気候変化並びに温度調節までに及んでも、水はいつも非常に重要な役割を演じている。しかし、水資源の科学技術は、人類の生活、動物、植物、医療及び各産業分野に幅広く運用されているが、現在の動量の科学技術レベルでは、依然として低炭素・グリーンエネルギーの基準を十分に満たしているとは言えない。
【０００３】
これに鑑みて、本発明者らは、地震による地殻変動の際に放出される強烈な縦波と横波により大きな津波が発生する原理に基づいて、水中光子振動周波数衝突の実験研究を完成させて、非動力式水中光子振動周波数衝突装置とその水中光子振動周波数衝突方法を提案した。これにより、低炭素・グリーンエネルギーの実質的なメリットが向上することから、災害に直結するオゾン層のオゾンホールの拡大や北極圏と南極圏の氷河の急速な融解などを減速緩和することが期待される。
【発明の概要】
【発明が解決しようとする課題】
【０００４】
従って、本発明の課題は、非動力式水中光子振動周波数衝突装置及び水中光子振動周波数衝突方法を提供することにあり、光子束の振動周波数衝突を表示した動量水流を、その後の水資源を必要とする場合に提供することにある。
【課題を解決するための手段】
【０００５】
そこで、本発明者らは、本発明の前記課題を解決するため鋭意検討を重ねた結果、非動力式水中光子振動周波数衝突装置に着目した。
すなわち、非動力式水中光子振動周波数衝突装置は、水流を導入するための入水口を有する入水管と、その下流につながる二つの分流領域を有し、導入した水流を２本に分流する分流管と、当該分流領域の下流にそれぞれにつながる２つの中心管、２つの中心磁化領域、２つの光子付着領域、２つの合流管、合流衝突領域の保護管を備える。各中心管の一端が中心管の入水口になり、その反対側が中心管の出水口になる。２つの中心磁化領域は、中心管の入水口からその中心管の出水口までの間に設置され、各中心磁化領域内の水流経路に対応した磁気カット部が設けられ、各光子付着領域の一端が光子付着領域の入水口であり、その反対側が光子付着領域の出水口である。光子付着領域の入水口は、中心管の出水口にそれぞれに繋がって２つの中心磁化領域の下流に位置し、各光子付着領域内に水流経路に対応した遠赤外線光子結晶と、遠赤外線光子結晶を光子付着領域内に固定するためのサポートとが設けられ、各合流管の一端が合流管の入水口になり、その反対側が合流管の出水口になる。２つの合流管の入水口は、光子付着領域の出水口の下流に繋がり、２つの合流管の出水口は、相対設置を呈して衝突間隔距離を保持し、合流衝突領域の保護管の一端が分岐状態を呈して２つの合流管の外周囲にそれぞれ設置されると共に、その衝突間隔距離に対応して合流衝突領域を形成し、その反対が合流衝突領域の下流の合流排水管に位置することで、２つの合流管から流出する２本の水流が合流衝突領域に流されて相互に衝突した後、合流排水管の合流排水口から排出される。
【０００６】
非動力式水中光子振動周波数衝突装置は、実施時、中心管の保護管の外に設置される２つの外管を備える。各中心管の保護管は、中心管に相対して各光子付着領域の下流端まで至り、各外管は各合流衝突領域の保護管と接続され、また各光子付着領域に相対して下流端付近の各中心管の保護管は各外管と繋がることで、水を各外管から各合流管に流させる。上記の外管は、各合流管と一体化されてもよく、各外管と各合流管とは分節接続されてもよい。
【０００７】
次に、本発明の水中光子振動周波数衝突方法は、まず、水流を２本の水流に分けた後、分流後の２本の水流を、水分子クラスターを細分化する中心磁化領域と、水流に光子を付着させる遠赤外線光子結晶とをそれぞれ順次に経由してから、光子束動量条件を有する２本の水流をそれぞれ２つの合流管を通過させて、最終的に、合流衝突領域に流れ込んで合流衝突を行うことで、さらに強烈な振動周波数波動を有する水流を引き起こす。
【０００８】
かくして、本発明の要旨は、次の（１）〜（５）に記載の通りのものである。
（１）非動力式水中光子振動周波数衝突装置であって、
・水流を導入するための入水口を有する入水管と、 
・入水管の下流に接続されて２個の分流領域を有し、導入した水流を２本に分流する分流管と、 
・分流領域の下流にそれぞれ接続される２つの中心管であって、各中心管の一端が中心管の入水口であり、その反対側が中心管の出水口である２つの中心管と、 
・２つの中心磁化領域であって、中心管の入水口から中心管の出水口までの間に設置され、各中心磁化領域内に水流路径に対応して磁気カット部が設けられる２つの中心磁化領域と、 
・２つの光子付着領域であって、各光子付着領域の一端が光子付着領域の入水口であり、その反対側が光子付着領域の出水口であり、光子付着領域の入水口は、中心管の出水口にそれぞれ接続され、２つの中心磁化領域の下流に位置し、各光子付着領域内に水流経路に対応して遠赤外線光子結晶と、遠赤外線光子結晶を光子付着領域内に固定するためのサポートとが設けられる２つの光子付着領域と、 
・２つの合流管であって、各合流管の一端が合流管の入水口であり、その反対側が合流管の出水口であり、合流管の入水口は、光子付着領域の出水口の下流に接続され、合流管の出水口は、相対設置を呈して衝突間隔距離を保持する２つの合流管と、
・合流衝突領域の保護管であって、合流衝突領域の保護管の一端が分岐状態を呈して２つの合流管の外周囲にそれぞれ設置されると共に、衝突間隔距離に対応して合流衝突領域を形成し、その反対側が合流衝突領域の下流の合流排水管に位置することで、２つの合流管から流出する２本の水が合流衝突領域に流されて相互衝突した後、合流排水管から排出される合流衝突領域の保護管とからなることを特徴とする非動力式水中光子振動周波数衝突装置。
【０００９】
（２）各中心管外にそれぞれ設置される２つの中心管の保護管と、各中心管の保護管の外側にそれぞれ設置される２つの外管とを備え、各中心管の保護管は、中心管及び各光子付着領域に相対し、各外管は各合流管と接続され、また各光子付着領域に相対して下流端付近の各中心管の保護管は各外管と繋がることで、水を各外管から各合流管に流すことを特徴とする前記（１）に記載された非動力式水中光子振動周波数衝突装置。
【００１０】
（３）各外管は、各合流管と一体化されることを特徴とする前記（２）に記載の非動力式水中光子振動周波数衝突装置。
【００１１】
（４）各外管と各合流管とは分節接続されることを特徴とする前記（２）に記載の非動力式水中光子振動周波数衝突装置。
【００１２】
（５）水中光子振動周波数衝突方法であって、水流を２本の水流に分流した後、分流後の２本の水流を、水分子クラスターを細分化する中心磁化領域と、水流に光子を付着させる遠赤外線光子結晶とをそれぞれ順次に経由してから、光子束を有する２本の水流をそれぞれ２つの合流管を通過させて合流衝突領域に流れ込んで合流衝突を行うと共に、強烈な振動周波数波動を有する動量水流を引き起こすことを特徴とする水中光子振動周波数衝突方法。
【発明の効果】
【００１３】
従来の水資源技術と異なり、本発明は、非動力式水中光子振動周波数衝突装置及び水中光子振動周波数衝突方法を提供するものである。衝突装置は、非動力式の動量水流の輸送手段を採用するので、使用者は、装置の入水管を、簡単に取得ができ且つ浄水処理された一般の水源供給箇所に取り付ければよい。非動力式水中光子振動周波数衝突装置とその方法を運用すれば、人々の健康的な水生活のメカニズムの向上に貢献できるほか、さらに農業、漁業、畜産養殖業、工業及び医学などの広汎な分野に適用することができる。
【図面の簡単な説明】
【００１４】
【図１】本発明の一実施形態に係る非動力式水中光子振動周波数衝突装置の立体外観図である。
【図２】本発明の一実施形態に係る非動力式水中光子振動周波数衝突装置の断面図である。
【図３】本発明の一実施形態に係る非動力式の遠赤外線光子結晶を示す図面である。
【図４】本発明の一実施形態に係る非動力式水中光子振動周波数衝突装置の合流管の断面図である。
【図５】本発明の他の実施例形態に係る非動力式水中光子振動周波数衝突装置の合流管の部分断面図である。
【発明を実施するための最良の形態】
【００１５】
以下、本発明について図面を用いて詳述する。もっとも本発明は、かかる図面等により限定されるものではない。
【実施例１】
【００１６】
図１〜図４に示す本発明の第１実施例のように、図中に開示されている非動力式水中光子振動周波数衝突装置の構造は、入水管１０と、入水管の入水口１１と、分流管２０と、分流管の入水口２１と、２つの分流領域２２と、中心管３１と、２つの中心管の入水口３２と、２つの中心磁化領域３０と、２つの磁気カット部３３と、複数の磁石３３１と、２つの中心管の出水口３４と、２つの光子付着領域４０と、２つの光子付着領域の入水口４１と、２つの遠赤外線光子結晶４２と、２つのサポート４３と、２つの光子付着領域の出水口４４と、２つの中心管の保護管５０と、２つの外管５１と、合流衝突領域の保護管６０と、２つの合流管６１と、２つの合流管の入水口６２と、２つの合流管の出水口６３と、合流衝突領域６４と、合流排水管７０と、合流排水口７１を備える。
【００１７】
入水管１０は、流水を導入するための入水管の入水口１１を有し、例えば、家庭用水供給口、農業用水供給口、工業用水供給口、漁業用水供給口または医療用水供給口に接続される。
【００１８】
分流管２０は、分流管の入水口２１を介して入水管１０の下流に接続されると共に、導入した流水を２本に分流する２個の分流領域２２を有する。２つの中心管３１は、その分流領域２２の下流にそれぞれ接続され、各中心管３１の一端が中心管の入水口３２であり、その反対が中心管の出水口３４であり、２つの中心磁化領域３０は、中心管の入水口３２から中心管の出水口３４までの間に設置される。
【００１９】
各中心磁化領域３０内に水流経路に対応して水分子クラスターを細分化する磁気カット部３３が設けられる。磁気カット部３３は、等距離に配列される複数の磁石３３１から構成されると共に、磁石３３１を水流と完全に隔離することができる中心管の保護管５０が設けられる。
【００２０】
光子付着領域４０は、光子付着領域の入水口４１をそれぞれ通じて中心磁化領域３０の下流の中心管の出水口３４に接続される。その一端が光子付着領域の入水口４１であり、その反対が光子付着領域の出水口４４である。各光子付着領域４０には、水流経路に対応していずれも遠赤外線光子結晶４２と、遠赤外線光子結晶４２を光子付着領域４０内に固定するためのサポート４３とが設けられ、水流に遠赤外線の光子を有効に付着させることができる。
【００２１】
２つの合流管６１は、各合流管６１の一端が合流管の入水口６２であり、その反対が合流管の出水口６３である。合流管の入水口６２は、光子付着領域の出水口４４の下流に接続され、合流管の出水口６３は、相対設置を呈して衝突間隔距離を保持する。合流衝突領域の保護管６０は、その一端が分岐状態を呈して並んだ２つであり、２つの合流管６１の外周囲にそれぞれ設置されると共に、衝突間隔距離に対応して合流衝突領域６４を形成し、その反対が合流衝突領域６４の下流の合流排水管７０に位置することで、その２つの合流管６１から流出する２本の水が合流衝突領域６４に流されて相互衝突した後、合流排水管７０の合流排水口７１から排出される。
【００２２】
本発明の第１実施例は、各中心管３１外にそれぞれ設置される２つの中心管の保護管５０と、各中心管の保護管５０の外側にそれぞれ設置される２つの外管５１を備える。各中心管の保護管５０は、中心管３１の下流に相対して各光子付着領域４０に接続され、各外管５１は各合流衝突領域の保護管６０及び合流管６１と接続される。また各光子付着領域４０に相対して下流端付近の各中心管の保護管５０は各外管５１と繋がることで、水を各外管５１から各合流管６１に流すことができる。
【実施例２】
【００２３】
図５に示す本発明の第２実施例の合流管の部分断面図のように、本実施例は、第１実施例の技術手段全体とほぼ同一であり、その違いは外管５１と、分流管２０とは分節に製造された後に接続された点にある。
【産業上の利用可能性】
【００２４】
上記の各実施例によれば、より好ましい水中光子振動周波数衝突方法を提供することができ、水流を分流した後、分流後の水流を、水分子クラスターを細分化する磁気カット部３３と、水流に光子を付着させる遠赤外線光子結晶４２とをそれぞれ順次に経由してから、光子束を形成する動量水流を合流管６１を通過させると共に、合流衝突領域６４まで到達して衝突した後、さらに強烈な振動周波数波動を有する動量水流を引き起こすことになる。本発明によれば、前記のように関連する各産業上の利用価値は極めて大きい。
【符号の説明】
【００２５】
１０：入水管
１１：入水管の入水口
２０：分流管
２１：分流管の入水口
２２：分流領域
３０：中心磁化領域
３１：中心管
３２：中心管の入水口
３３：磁気カット部
３３１：磁石
３４：中心管の出水口
４０：光子付着領域
４１：光子付着領域の入水口
４２：遠赤外線光子結晶
４３：サポート
４４：光子付着領域の出水口
５０：中心管の保護管
５１：外管
６０：合流衝突領域の保護管
６１：合流管
６２：合流管の入水口
６３：合流管の出水口
６４：合流衝突領域
７０：合流排水管
７１：合流排水口
【図１】
2018027533.tif 000003
【図２】
2018027533.tif 000004
【図３】
2018027533.tif 000005
【図４】
2018027533.tif 000006
【図５】
2018027533.tif 000007